(57)【要約】【課題】床下地パネルを簡単に取り外すことが可能であって、更新性や可変性に優れた建物の二重床構造を提供する。【解決手段】この二重床構造は、床基盤１上に複数の支持脚２・・を間隔をあけて立設し、これら支持脚２・・の上面板６・・間に枠板１０、１１・・を差し渡して、上面板６・・と枠板１０、１１・・の上面を、高さレベルを揃えながら平面視格子状に連続させて、間仕切り壁３０を設置するための設置部位１８とするとともに、上面板６・・及び枠板１０、１１・・によって囲まれた方形枠内に、床下地パネル２０、２１・・を嵌め込むようにしている。【選択図】図４
2011102492.tif 000002
【特許請求の範囲】
【請求項１】
床基盤（１）上に複数の支持脚（２）・・を間隔をあけて立設し、これら支持脚（２）・・の上面板（６）・・間に枠板（１０）（１１）・・を差し渡して、前記上面板（６）・・と前記枠板（１０）（１１）・・の上面を、高さレベルを揃えながら平面視格子状に連続させて、間仕切り壁（３０）を設置するための設置部位（１８）とするとともに、前記上面板（６）・・及び前記枠板（１０）（１１）・・によって囲まれた方形枠内に、床下地パネル（２０）（２１）・・を嵌め込むようにしたことを特徴とする建物の二重床構造。
【請求項２】
前記枠板（１０）（１１）・・の第１ボルト挿通用孔（１５）・・へ上方から挿通した第１ボルト（１７）・・を、前記上面板（６）・・に埋設した第１ナット（９）・・に螺合することで、前記枠板（１０）（１１）・・を前記上面板（６）・・に対して着脱可能に固定するとともに、前記床下地パネル（２０）（２１）・・の第２ボルト挿通用孔（２２）・・へ上方から挿通した第２ボルト（２３）・・を、前記枠板（１０）（１１）・・に埋設した第２ナット（１６）・・に螺合することで、前記床下地パネル（２０）（２１）・・を前記枠板（１０）（１１）・・に対して着脱可能に固定した請求項１記載の建物の二重床構造。
【請求項３】
前記上面板（６）において、その平面視略正方形状の板本体部（７）の周端面下部から張り出した張出部（８）に前記第１ナット（９）・・を埋設し、前記枠板（１０）（１１）において、その平面視略長方形状の板本体部（１２）の両端面上部から延出した一対の延出部（１３）（１３）に前記第１ボルト挿通用孔（１５）を夫々形成して、前記張出部（８）・・に前記延出部（１３）・・を載置して前記第１ナット（９）・・と前記第１ボルト挿通用孔（１５）・・とを重ね合わせた状態で、前記第１ボルト挿通用孔（１５）・・へ上方から挿通した前記第１ボルト（１７）・・を前記第１ナット（９）・・に螺合するとともに、前記枠板（１０）（１１）において、その平面視略長方形状の板本体部（１２）の両側面下部から前記方形枠内に突出した一対の突出部（１４）（１４）に前記第２ナット（１６）・・を夫々埋設し、平面視略正方形状又は平面視略長方形状の前記床下地パネル（２０）（２１）において、その周端部に前記第２ボルト挿通用孔（２２）・・を形成して、前記突出部（１４）・・に前記床下地パネル（２０）（２１）・・の周端部を載置して前記第２ナット（１６）・・と前記第２ボルト挿通用孔（２２）・・とを重ね合わせた状態で、前記第２ボルト挿通用孔（２２）・・へ上方から挿通した前記第２ボルト（２３）・・を前記第２ナット（１６）・・に螺合するようにした請求項２記載の建物の二重床構造。
【請求項４】
薄肉の床仕上げ材（５１ａ）を敷設する前記床下地パネル（２０）（２１）と厚肉の床仕上げ材（５１ｂ）を敷設する前記床下地パネル（２０）（２１）との境界部分に位置する前記枠板（５５）において、その平面視略長方形状の板本体部（１２）の一方の側面下部から前記方形枠内に突出した突出部（１４）の上面の高さレベルと、他方の側面下部から前記方形枠内に突出した突出部（１４）の上面の高さレベルを異ならせて、前記薄肉の床仕上げ材（５１ａ）における上面の高さレベルと前記厚肉の床仕上げ材（５１ｂ）における上面の高さレベルを揃えるようにした請求項３記載の建物の二重床構造。
【請求項５】
前記上面板（６）・・及び前記枠板（１０）（１１）・・を、建物の基準モジュールに対応した基準線（Ｐ）・・に沿って配置した請求項１乃至４のいずれかに記載の建物の二重床構造。
【請求項６】
前記設置部位（１８）に設置した前記間仕切り壁（３０）の上端部を、天井面（５０）に対して突っ張り固定させるようにした請求項１乃至５のいずれかに記載の建物の二重床構造。
【発明の詳細な説明】
【技術分野】
【０００１】
この発明は、主として戸建て住宅や集合住宅等の建物に適用される二重床構造に関する。
【背景技術】
【０００２】
一般に、戸建て住宅や集合住宅等の建物に適用される二重床として、土間コンクリートやコンクリートスラブ等の床基盤上に複数の支持脚を適宜間隔をあけて立設し、これら支持脚の上面板に跨って複数の床下地パネルを敷き並べて、これら床下地パネルを床基盤から浮かした所定の高さ位置に支持するようにした構造のものが知られている（例えば、特許文献１参照）。
【０００３】
この種の二重床において、間仕切り壁を施工する場合、床下地パネル上に間仕切り壁を立設して、その下端部を床下地パネルにビス止め等によって固定していることが多い。なお、間仕切り壁の施工後に、床下地パネルの上面には畳やフローリング等の床仕上げ材が敷設される。
【先行技術文献】
【特許文献】
【０００４】
【特許文献１】特開２００５−２９０７０８号公報
【発明の概要】
【発明が解決しようとする課題】
【０００５】
しかしながら、上記の二重床においては、床下地パネル上に間仕切り壁を載せて固定しているので、間仕切り壁を一旦取り外してからでないと、床下地パネルを取り外すことができず、このため床下地パネルの交換、或いは、床下地パネル裏側の床下空間に設けた配線類や配管類のメンテナンスに際して、面倒な作業を強いられるといった不具合があった。しかも、床下地パネルは、支持脚の上面板にビスや釘等で固定されていることが多く、このため床下地パネル自体の取り外しも面倒であり、また床下地パネルが損傷し易くなって、リフォーム時における繰り返しの使用も困難となるといった不具合があった。
【０００６】
そこで、この発明は、上記の不具合を解消して、床下地パネルを簡単に取り外すことが可能であって、更新性や可変性に優れた二重床構造の提供を目的とする。
【課題を解決するための手段】
【０００７】
この発明の建物の二重床構造は、床基盤１上に複数の支持脚２・・を間隔をあけて立設し、これら支持脚２・・の上面板６・・間に枠板１０、１１・・を差し渡して、前記上面板６・・と前記枠板１０、１１・・の上面を、高さレベルを揃えながら平面視格子状に連続させて、間仕切り壁３０を設置するための設置部位１８とするとともに、前記上面板６・・及び前記枠板１０、１１・・によって囲まれた方形枠内に、床下地パネル２０、２１・・を嵌め込むようにしたことを特徴とする。
【０００８】
また、前記枠板１０、１１・・の第１ボルト挿通用孔１５・・へ上方から挿通した第１ボルト１７・・を、前記上面板６・・に埋設した第１ナット９・・に螺合することで、前記枠板１０、１１・・を前記上面板６・・に対して着脱可能に固定するとともに、前記床下地パネル２０、２１・・の第２ボルト挿通用孔２２・・へ上方から挿通した第２ボルト２３・・を、前記枠板１０、１１・・に埋設した第２ナット１６・・に螺合することで、前記床下地パネル２０、２１・・を前記枠板１０、１１・・に対して着脱可能に固定している。
【０００９】
具体的には、前記上面板６において、その平面視略正方形状の板本体部７の周端面下部から張り出した張出部８に前記第１ナット９・・を埋設し、前記枠板１０、１１において、その平面視略長方形状の板本体部１２の両端面上部から延出した一対の延出部１３、１３に前記第１ボルト挿通用孔１５を夫々形成して、前記張出部８・・に前記延出部１３・・を載置して前記第１ナット９・・と前記第１ボルト挿通用孔１５・・とを重ね合わせた状態で、前記第１ボルト挿通用孔１５・・へ上方から挿通した前記第１ボルト１７・・を前記第１ナット９・・に螺合するとともに、前記枠板１０、１１において、その平面視略長方形状の板本体部１２の両側面下部から前記方形枠内に突出した一対の突出部１４、１４に前記第２ナット１６・・を夫々埋設し、平面視略正方形状又は平面視略長方形状の前記床下地パネル２０、２１において、その周端部に前記第２ボルト挿通用孔２２・・を形成して、前記突出部１４・・に前記床下地パネル２０、２１・・の周端部を載置して前記第２ナット１６・・と前記第２ボルト挿通用孔２２・・とを重ね合わせた状態で、前記第２ボルト挿通用孔２２・・へ上方から挿通した前記第２ボルト２３・・を前記第２ナット１６・・に螺合するようにしている。
【００１０】
また、薄肉の床仕上げ材５１ａを敷設する前記床下地パネル２０、２１と厚肉の床仕上げ材５１ｂを敷設する前記床下地パネル２０、２１との境界部分に位置する前記枠板５５において、その平面視略長方形状の板本体部１２の一方の側面下部から前記方形枠内に突出した突出部１４の上面の高さレベルと、他方の側面下部から前記方形枠内に突出した突出部１４の上面の高さレベルを異ならせて、前記薄肉の床仕上げ材５１ａにおける上面の高さレベルと前記厚肉の床仕上げ材５１ｂにおける上面の高さレベルを揃えるようにしている。
【００１１】
さらに、前記上面板６・・及び前記枠板１０、１１・・を、建物の基準モジュールに対応した基準線Ｐ・・に沿って配置している。
【００１２】
さらにまた、前記設置部位１８に設置した前記間仕切り壁３０の上端部を、天井面５０に対して突っ張り固定させるようにしている。
【発明の効果】
【００１３】
この発明の二重床構造においては、床下地パネルを避けるようにして、間仕切り壁を設置部位に設置するようになっているので、間仕切り壁を取り外すことなく、床下地パネルを取り外すことができ、このため床下地パネルの交換、或いは、床下地パネル裏側の床下空間に設けた配線類や配管類のメンテナンスを簡単に行うことができる。
【００１４】
しかも、上面板に対する枠板の固定、及び、枠板に対する床下地パネルの固定は、第１、第２ボルトを第１、第２ナットに上方から螺合することによってなされているので、床上からの操作によって床下地パネルや枠板を簡単に着脱することができ、上記の交換やメンテナンスだけでなく、二重床の増設や一部撤去を伴うリフォームに際しての作業性も良好である。また、ビスや釘等で固定するときと比べて、床下地パネルや枠板の損傷を少なくして、リフォーム時における繰り返しの使用が可能となり、コスト削減を図ることができる。
【００１５】
また、板本体部を挟んだ両側の突出部における上面の高さレベルの異なる枠板を使用して、この枠板の突出部に載置した床下地パネルに厚みの異なる床仕上げ材を敷設することで、これら床仕上げ材の厚みの差を吸収して上面の高さレベルを揃えるようにしているので、枠板の形状を変更しただけの簡単な構造によって、床仕上げ面に段差を生じさせないようにすることができる。
【００１６】
さらに、二重床が基準モジュールに対応して構成されているので、二重床の増設や一部撤去を伴うリフォームを容易に行うことができ、床下地パネルや枠板の使い回しも可能となって、より一層のコスト削減を図ることができる。
【００１７】
さらにまた、設置部位に設置した間仕切り壁の上端部を、天井面に対して突っ張り固定させているので、天井面を傷付けることなく、間仕切り壁の施工や配置換えも容易に行うことができる。
【図面の簡単な説明】
【００１８】
【図１】この発明の一実施形態に係る二重床における支持脚の施工状態を示す斜視図である。
【図２】枠板の施工状態を示す斜視図である。
【図３】床下地パネルの施工状態を示す斜視図である。
【図４】床下地面を上方から見た割付図である。
【図５】間仕切り壁の下地部材の施工状態を示す斜視図である。
【図６】間仕切り壁の施工状態を示す斜視図である。
【図７】支持脚の分解斜視図である。
【図８】支持脚の上面板に対する枠板の取付状態を示す縦断面図である。
【図９】枠板の斜視図である。
【図１０】枠板に対する床下地パネルの取付状態を示す縦断面図である。
【図１１】間仕切り壁の下地部材の取付状態を示す縦断面図である。
【図１２】突張機構の縦断面図である。
【図１３】別の枠板を使用した二重床の要部縦断面図である。
【発明を実施するための形態】
【００１９】
この発明の実施形態を図面に基づいて詳細に説明する。この発明の一実施形態に係る二重床構造は、更新性や可変性が要求される例えば超長期集合住宅（アパート）に適用されている。以下、この二重床構造を、その施工手順に従って説明する。
【００２０】
まず、図１に示すように、土間コンクリートやコンクリートスラブ等の床基盤１上に、複数の支持脚２・・を前後左右方向に適宜間隔をあけて立設している。
【００２１】
支持脚２は、図７及び図８に示すように、防振台座３付きの束材４と、この束材４の上端部に取り付けられた受け材５と、この受け材５の上面に取り付けられた上面板６とを備えている。そして、束材４の上端部に形成された雄螺子部４ａと、受け材５の中央貫通孔部に形成された雌螺子部５ａとが螺合されている。また、上面板６は、平面視略正方形状の板本体部７と、その周端面下部から側方に張り出した平面視略方形枠状の張出部８とからなる。板本体部７の中央部には、束材４の上端面に形成された係合溝４ｂを臨ませる貫通孔７ａが形成され、張出部８の各辺中央部には第１ナット９・・が夫々埋設されている。なお、上面板６の板本体部７は、その一辺の長さ寸法が約８０ｍｍとされている。
【００２２】
この支持脚２においては、ドライバー等の回転工具を上面板６の貫通孔７ａへ上方から挿入して束材４の係合溝４ｂに係合させ、この状態で回転工具を操作して束材４を回転させることで、受け材５及び上面板６が上下動して、上面板６の上面の高さレベルの調整が可能となっている。
【００２３】
次に、図２に示すように、支持脚２・・の上面板６・・間に、長尺枠板１０・・及び短尺枠板１１・・を差し渡して、上面板６・・と枠板１０、１１・・の上面を、高さレベルを揃えながら平面視格子状に連続させている。
【００２４】
長尺枠板１０及び短尺枠板１１は、図９に示すように、平面視略長方形状の板本体部１２と、その板本体部１２の両端面上部から延出した一対の延出部１３、１３と、板本体部１２の両側面下部から突出した一対の突出部１４、１４とからなる。そして、延出部１３、１３の中央部には、第１ボルト挿通用孔１５が夫々形成され、突出部１４、１４には、複数の第２ナット１６・・が間隔をあけて夫々埋設されている。なお、長尺枠板１０の板本体部１２は、その長さ寸法（延出部１３、１３を含む）が約８２３ｍｍ、幅寸法が約８０ｍｍとされており、短尺枠板１１の板本体部１２は、その長さ寸法（延出部１３、１３を含む）が約５２０ｍｍ、幅寸法が約８０ｍｍとされている。
【００２５】
これら長尺枠板１０及び短尺枠板１１は、図２及び図８に示すように、その延出部１３、１３を隣接する支持脚２、２の張出部８、８に載置して、第１ナット９、９と第１ボルト挿通用孔１５、１５とを重ね合わせた状態で、第１ボルト挿通用孔１５、１５へ上方から挿通した第１ボルト１７、１７を第１ナット９、９に螺合することによって、隣接する支持脚２、２の上面板６、６間に跨るようにして、上面板６、６に対して着脱可能に固定されている。なお、長尺枠板１０については、その中間部分の数箇所を補強用支持脚（図示しない）によって支持して、撓みを防止しても良い。
【００２６】
そして、このように支持脚２・・の上面板６・・間に、枠板１０、１１・・を差し渡した状態において、上面板６・・と枠板１０、１１・・の上面が、高さレベルを揃えながら平面視格子状に連続して、後述する間仕切り壁３０を設置するための設置部位１８とされている。また、上面板６・・及び枠板１０、１１・・によって囲まれた各方形枠内には、上面板６・・の張出部８・・のコーナー部分及び枠板１０、１１・・の突出部１４・・が、それら上面の高さレベルを揃えながら方形枠状に連続した状態で突出して、パネル載置枠１９・・を構成している。
【００２７】
続いて、図３に示すように、上記の各方形枠内に、大型の床下地パネル２０・・や小型の床下地パネル２１・・を夫々嵌め込んで、それら周端部をパネル載置枠１９・・に載置している。
【００２８】
大型の床下地パネル２０は、平面視略長方形状のパーティクルボードからなり、その周端部には、複数の第２ボルト挿通用孔２２・・が間隔をあけて形成されている。小型の床下地パネル２１は、平面視略正方形状のパーティクルボードからなり、その周端部には、複数の第２ボルト挿通用孔２２・・が間隔をあけて形成されている。なお、大型の床下地パネル２０は、その長さ寸法が約８２３ｍｍ、幅寸法が約５２０ｍｍとされており、小型の床下地パネル２１は、その一辺の長さ寸法が約５２０ｍｍとされている。
【００２９】
これら大型の床下地パネル２０及び小型の床下地パネル２１は、図３及び図１０に示すように、その周端部を枠板１０、１１・・の突出部１４・・に載置して、第２ナット１６・・と第２ボルト挿通用孔２２・・とを重ね合わせた状態で、第２ボルト挿通用孔２２・・へ上方から挿通した第２ボルト２３・・を第２ナット１６・・に螺合することによって、枠板１０、１１・・に対して着脱可能に固定されている。このようにして、各方形枠内に床下地パネル２０、２１・・を嵌め込んだ状態において、床下地パネル２０、２１・・の上面が上面板６・・及び枠板１０、１１・・の上面と略面一となっていて、全体的に略平滑な床下地面を構成している。
【００３０】
図４は、床下地面を上方から見た割付図であって、図中の１点鎖線で示す線は、建物の基準モジュール（例えば尺モジュール）に対応した基準線Ｐを示している。基準線Ｐ、Ｐ間の間隔Ｌは、約３０３ｍｍであって、基準モジュールの約３分の１となっている。支持脚２・・の上面板６・・及び枠板１０、１１・・は、上面板６・・の中心部間及び枠板１０、１１・・の中心軸間の間隔が基準線Ｐ、Ｐ間の間隔Ｌの２倍若しくは３倍となるようにして、基準線Ｐ・・に沿って格子状に配置され、その格子状の各方形枠内に床下地パネル２０、２１・・がきっちりと収まるようにして配置されている。
【００３１】
次に、上記の床下地面のうち、上面板６・・及び枠板１０、１１・・の上面である設置部位１８に沿って、間仕切り壁３０を適宜設置する。すなわち、床下地パネル２０、２１・・を避けるようにして、間仕切り壁３０を設置する。
【００３２】
この間仕切り壁３０の設置に際しては、まず図５に示すように、その下地部材３１を設置部位１８に立設している。下地部材３１は、図１１に示すように、複数の枠ユニット３２・・を組み合わせてなる下地本体３３と、この下地本体３３の上端部に備え付けた突張機構３４とを備えている。
【００３３】
枠ユニット３２は、上下一対の横材３５、３５と、左右一対の縦材３６、３６とを方形枠状の組み付けて、その枠内において縦材３６、３６間に上下方向に適宜間隔をあけて複数の桟材３７・・を差し渡した構造を基本としている。なお、枠ユニット３２・・としては、幅寸法の異なるもの、扉用開口や収納用開口を備えたものといった数種類のものが用意されており、それらを選択的に組み合わせて並設することで、下地本体３３を構成している。そして、この下地本体３３における枠ユニット３２・・の上側の横材３５・・には、ボルト挿通用孔３５ａ・・が上下方向に貫通して形成され、枠ユニット３２・・の下側の横材３５・・及び桟材３７・・には、配線挿通用孔３５ｂ、３７ｂ・・が上下方向に貫通して形成されている。
【００３４】
突張機構３４は、図１２に示すように、枠ユニット３２・・の上側の横材３５・・の上面に、ボルト挿通用孔３５ａ・・に対応して取り付けられたナット４０・・と、これらナット４０・・に螺合された状態で、下端部がボルト挿通用孔３５ａ・・に挿入されたジャッキアップボルト４１・・と、これらジャッキアップボルト４１・・の上端部に被せられた頭つなぎ材４２と、ジャッキアップボルト４１・・の中間部に螺合されたジャッキアップナット４３・・と、ジャッキアップボルト４１・・に外嵌した状態で、頭つなぎ材４２とジャッキアップナット４３・・との間にワッシャー４４・・を介して装着された圧縮バネ４５・・とを備えている。なお、ジャッキアップボルト４１の下端面には、係合溝４１ａが夫々形成され、頭つなぎ材４２の上面には、緩衝材４６が取り付けられている。
【００３５】
そして、下地部材３１は、その下端部を枠板１０、１１・・に固定するとともに、その上端部を天井面５０に対して突っ張り固定することで、天井面５０と設置部位１８とに跨って設置されている。具体的に、下地部材３１の下端部の固定に際しては、枠ユニット３２・・の下側の横材３５・・を、ビスやボルト等によって枠板１０、１１・・に止め付けている。また、下地部材３１の上端部の固定に際しては、ドライバー等の回転工具を、枠ユニット３２・・の上側の横材３５・・のボルト挿通用孔３５ａ・・へ下方から挿入して、ジャッキアップボルト４１・・の係合溝４１ａ・・に係合させ、この状態で回転工具を操作してジャッキアップボルト４１・・を回転させながら上動させることで、頭つなぎ材４２を押し上げてその緩衝材４６を天井面５０に押し付けるようにしている。さらに、ジャッキアップナット４３・・を回転させて、圧縮バネ４５・・を押し縮めて頭つなぎ材４２を上方へ常時付勢することで、突っ張り固定状態を良好に維持している。
【００３６】
このようにして設置部位１８に立設した下地部材３１に対して、図６に示すように、その表裏面に表面化粧材４７、４７を張り付けることで、間仕切り壁３０の設置が完了する。そして、間仕切り壁３０の設置後に、床下地面（設置部位１８における間仕切り壁３０を設置していない箇所を含む）に、タイル、畳、フローリング等の床仕上げ材５１を敷設することで、二重床の施工が完了する。
【００３７】
なお、床下地面には、例えばリビングに対応する部位にフローリング等の薄肉の床仕上げ材５１ａを敷設して、和室に対応する部位に畳等の厚肉の床仕上げ材５１ｂを敷設するといったように、厚みの異なる床仕上げ材５１ａ、５１ｂを敷設する場合があるが、この場合、薄肉の床仕上げ材５１ａと厚肉の床仕上げ材５１ｂとの境界部分において、段差が生じることになる。
【００３８】
そこで、このような段差を解消するための枠板５５・・が別途用意されている。この枠板５５は、図１３に示すように、薄肉の床仕上げ材５１ａ・・を敷設する床下地パネル２０、２１と厚肉の床仕上げ材５１ｂ・・を敷設する床下地パネル２０、２１との境界部分に位置するように配され、その平面視略長方形状の板本体部１２の一方の側面下部から突出した突出部１４の上面の高さレベルと、他方の側面下部から突出した突出部１４の上面の高さレベルが異なった状態となっている。従って、枠板５５の突出部１４、１４に、床下地パネル２０、２１の周端部を載置することで、枠板５５を挟んだ両側の床下地パネル２０、２１の上面の高さレベルが異なり、これら床下地パネル２０、２１に敷設する床仕上げ材５１ａ、５１ｂ・・の厚みの差を吸収して、薄肉の床仕上げ材５１ａにおける上面の高さレベルと厚肉の床仕上げ材５１ｂにおける上面の高さレベルを揃えて、これら境界部分において段差を生じさせないようになっている。
【００３９】
以上説明した二重床においては、平面視格子状に連続する上面板６・・及び枠板１０、１１・・の上面が、間仕切り壁３０を設置する設置部位１８となっていて、床下地パネル２０、２１・・は、上面板６・・及び枠板１０、１１・・によって囲まれた方形枠内に嵌め込まれているので、間仕切り壁３０を取り外すことなく、床下地パネル２０、２１・・を取り外すことができ、このため床下地パネル２０、２１・・の交換、或いは、床下地パネル２０、２１・・裏側の床下空間６０に設けた配線類や配管類のメンテナンスを簡単に行うことができる。
【００４０】
しかも、上面板６・・に対する枠板１０、１１・・の固定、及び、枠板１０、１１・・に対する床下地パネル２０、２１・・の固定は、第１、第２ボルト１７、２３・・を第１、第２ナット９、１６・・に上方から螺合することによってなされているので、床上からの操作によって床下地パネル２０、２１・・や枠板１０、１１・・を簡単に着脱することができ、上記の交換やメンテナンスだけでなく、例えばユニットバス等の各種設備ユニットの配置換えや間取りの変更等のような二重床の増設や一部撤去を伴うリフォームに際しての作業性も良好である。また、ビスや釘等で固定するときと比べて、床下地パネル２０、２１・・や枠板１０、１１・・の損傷を少なくして、リフォーム時における繰り返し使用が可能となり、コスト削減を図ることができる。
【００４１】
さらに、上面板６・・及び枠板１０、１１・・は、基準モジュールに対応する基準線Ｐ・・に沿って格子状に配置され、その格子状の各方形枠内に収まるようにして床下地パネル２０、２１・・が嵌め込まれている、すなわち、二重床が基準モジュールに即して構成されているので、各種設備ユニットの配置換えや間取りの変更等を容易に行うことができ、床下地パネル２０、２１・・や枠板１０、１１・・の使い回しも可能となって、より一層のコスト削減を図ることができる。
【００４２】
さらにまた、設置部位１８に設置した間仕切り壁３０の上端部を、天井面５０に対して突っ張り固定させているので、天井面５０を傷付けることなく、間仕切り壁３０の施工や配置換えを容易に行うことができる。
【００４３】
この発明は、上記実施形態に限定されるものではなく、この発明の範囲内で上記実施形態に多くの修正及び変更を加え得ることは勿論である。例えば、この発明の二重床構造は、アパートに適用されるだけでなく、戸建て住宅やマンション、さらには医療施設や商業施設等にも適用可能である。
【符号の説明】
【００４４】
１・・床基盤、２・・支持脚、６・・上面板、７・・上面板の板本体部、８・・張出部、９・・第１ナット、１０、１１、５５・・枠板、１２・・枠板の板本体部、１３・・延出部、１４・・突出部、１５・・第１ボルト挿通用孔、１６・・第２ナット、１７・・第１ボルト、１８・・設置部位、２０、２１・・床下地パネル、２２・・第２ボルト挿通用孔、２３・・第２ボルト、３０・・間仕切り壁、５０・・天井面、５１ａ・・薄肉の床仕上げ材、５１ｂ・・厚肉の床仕上げ材、Ｐ・・基準線
【図１】
2011102492.tif 000003
【図２】
2011102492.tif 000004
【図３】
2011102492.tif 000005
【図４】
2011102492.tif 000006
【図５】
2011102492.tif 000007
【図６】
2011102492.tif 000008
【図７】
2011102492.tif 000009
【図８】
2011102492.tif 000010
【図９】
2011102492.tif 000011
【図１０】
2011102492.tif 000012
【図１１】
2011102492.tif 000013
【図１２】
2011102492.tif 000014
【図１３】
2011102492.tif 000015